(57)【要約】      （修正有）【課題】低価格でランニングコストが削減でき、夏場の冷房効率と冬場の暖房効率が良い完全気流循環式気密性住宅を提供する。【解決手段】外壁内側を起点として、天井裏を経由し床下まで通風路３を敷設させ、外壁内側通風路にはエア・コンディショナー６の吹き出し口を備え、温度管理した気流を通風路に吹き出し、床下通風路にて気流を回収し、回収された気流はエア・コンディショナーの吸込み口に取り込む。【選択図】図１
0003203177.tif 000002
【実用新案登録請求の範囲】
【請求項１】
外壁と内壁間に所定間隔の通風路が設置され、前記外壁の内側には断熱材と対向する内壁には気密性を持たせたシートが共に張り巡らされているとともに、前記断熱材と対向する内壁に気密性を持たせたシートからなる通風路構造が天井部を通して室内壁若しくは外壁から床下を経由するよう敷設され、前記外壁部に敷設された通風路からの気流が床下の通風路まで連通し、前記外壁部の通風路の始点にはエア・コンディショナーの吹き出し口が前記床下部の通風路である終点には前記エア・コンディショナーの吸込み口が連結されていることを特徴とする完全気流循環式気密性住宅。
【請求項２】
前記外壁部の各通風路内に送風機が具備され床下の通風路側に送風することを特徴とする請求項１記載の完全気流循環式気密性住宅。
【請求項３】
前記外壁、天井および床下に敷設された通風路面積をＳ、前記外壁と内壁間の通風路の間隔をＬとし、Ｓ１とＬ１を乗じた体積をＶ１とするときに、体積Ｖ１の温度制御を可能とするエア・コンディショナーを搭載したことを特徴とする請求項１記載の完全循環式気密性住宅。
【考案の詳細な説明】
【技術分野】
【０００１】本考案は、夏場の住宅外壁の温度上昇、冬場の住宅外壁の温度低下にともない前記外壁内に敷設した通風路をエア・コンディショナーにて冷暖房することで室内温度を冷暖房できる住宅に関する。
【背景技術】
【０００２】従来、各部屋に設置したエア・コンディショナーにて各部屋を温度管理しているが、夏場に西日が当たる外壁に面した部屋では冷房が効かない、また冬場では外壁で冷やされ暖房効率が落ちるという事例がある。
【先行技術文献】
【特許文献】
【０００３】
【特許文献１】実用新案公報３０３２８９１号
【特許文献２】公開特許公報２０１２−２１９５９８号
【特許文献３】公開特許公報２０１４−５１８７４号
【０００４】
【考案の概要】
【考案が解決しようとする課題】
【０００５】前記、室内でのエア・コンディショナーによる各部屋の温度管理を補足するために外壁と内壁に通風路を敷設して室内温度の管理を行う技術があるが費用効果が十分に発揮できないばかりかランニングコスト削減までも至っていない。【０００６】具体的には、特許文献１にメッシュ管よりなる熱交換用パイプの一端を住宅外の地上と前記熱交換用パイプの他端を住宅の床下空間に敷設させ熱交換用パイプの中途を地中に所要の深さに埋設し、住宅の外壁の内面に断熱材をライニングして室内壁との空間を床下空間及び天井裏空間に連通させ、前記熱交換用パイプの他端に室内空気導入管の一端を接続して他端を室内に連通し、屋根裏空間に設置した第一の排気ファンで壁空間流通空気を吸引して住宅外へ排気するとともに、室内空気排出管の一端を室内に連通接続するとともに他端を屋根裏または天井裏に設置した第二の排気ファンの吸引口に連通接続し、第二の排気ファンで室内流通空気を吸引して住宅外へ排気するように構成したことを特徴とする住宅の地中熱利用冷暖房装置が提案されている。【０００７】しかしながら、前記特許文献１に於いては、長さ約２０〜３０メートル以上の熱交換用パイプの一部が住宅の床下の地中約１．５メートル深さに埋設されており当該熱交換用パイプの破損や故障が生じた際には、修理に対する費用面の課題が残る。【０００８】特許文献２は、床下に所定間隔の隙間を隔てて設置される蓄熱式暖房設備と前記隙間に連通して壁内に敷設される暖気流路と壁内に敷設されて前記暖気流路の屋外側に配置され、土台側および棟側において屋外に開放する外気流路とを有する住宅が提案されている。しかしながら、本発明に於いては蓄熱式暖房設備による暖気を住宅内に敷設された気流路を通して送風する構造であり消費電力の観点から経済的な問題が残る。【０００９】特許文献３に関しては、建築物を二重外壁構造にして、外側の壁に通気性を持たせ、内側の建築物に気密性をもたせ、且つ、床下を基礎断熱した気密性住宅を換気するシステムにおいて、前記床下基礎には、前記室内の空気を外部に排出する換気システム装置が設けられており、前記換気システム装置の排気量を調節することと、床下内及び小屋裏、又は小屋裏のみに１〜２台のエアコンを設置することにより、前記気密性をもたせた建築物の室内に空気が前記建築物に配設された調節付き通気口を通して建築物内の部屋に給気して、各部屋内部の空気を排気口から前記床下に集合させて、排気・給気する住宅が提案されている。【００１０】しかしながら、前記特許文献３は床下内及び小屋裏、又は小屋裏かに設置したエア・コンディショナーにて温度管理した気流を最終的には排気しているため新たに前記場所に設置したエア・コンディショナーの外気を吸込み熱交換するために電気代が嵩むというデメリットがある。
【課題を解決するための手段】
【００１１】上記課題に鑑み、考案者は誠意工夫の結果、室内壁の内側に通風路を敷設させ、前記通風路内の気流をエア・コンディショナーにて完全循環させることにより低価格でランニングコスト削減可能とする完全気流循環式気密性住宅を提供できることを見出した。
【考案の効果】
【００１２】本考案によれば、外気の影響を受けやすい外壁側の小部屋の室内温度を低ランニングコストにて維持できる。
【図面の簡単な説明】
【００１３】
【図１】本考案の一実施例である通風路の構造を示す概念図である。
【図２】天井裏断面構造を示す。
【図３】コンクリート及び鉄骨ビルディングに適用した概念図を示す。
【考案を実施するための形態】
【００１４】以下、本考案に係る実施の形態を図面により説明する。
【実施例】
【００１５】本考案の戸建て住宅に適用した一実施例を図１に示す。外壁（１）と内壁（２）の間に所定間隔の通風路（３）が設置され、前記外壁の内側にはウレタン等の断熱材（４）と対向する内壁（２）には気密性を持たせたシート（５）が共に張り巡らされているとともに、前記断熱材（４）と対向する内壁（２）に気密性を持たせたシート（５）からなる通風路構造が天井部を通して室内壁、若しくは外壁（１）から床下を経由するよう敷設され、前記外壁部（１）に敷設された通風路からの気流が床下の通風路まで連通し、前記外壁部（１）の通風路の始点にはエア・コンディショナー（６）の吹き出し口が前記床下部の通風路である終点には前記エア・コンディショナー（５）の吸込み口が連結されている。【００１６】前記エア・コンディショナー（６）には吹き出し口を覆うカバー（７）、吸込み口を覆うカバー（８）が具備され、エア・コンディショナーから噴出された気流は通風路（３）に設置された上昇用送風機（９）により気流に淀みを生じることなく送風され、床下の通風口に設置した排気口（１０）および当該排気口に接続した配管（１１）を経由して前記エア・コンディショナーに取り付けた吸込み口カバー（８）に回収される。【００１７】前記エア・コンディショナー（５）を設置した外壁側の通風路と床下側の通風路には仕切り板（１２）が取り付けているため、前記エア・コンディショナーから噴出された気流は床下の排気口（１０）にて回収される構造となっている。【００１８】図２は、天井裏の通風口断面構造を示す。前記エア・コンディショナー（６）を設置した外壁側通風路には仕切り板（１３）が両側に立設しているためエア・コンディショナー（６）から噴出された気流は上昇用送風機（９）にて隣接する外壁通風路に送風することなく天井側の通風路に送り出される構造となっている。天井側通風路に送り出された気流は各外壁通風路に設置した下降用送風機（９）により床下通風路に送り出される。【００１９】外壁に搭載するエア・コンディショナー容量に関しては、例えば、通風路距離を３ｃｍ、平屋家屋での床下から天井裏までの高さを３００ｃｍ、外壁通風路の横幅を１，０００ｃｍとすると全体積は９００，０００ｃｍ３となる。一方、８畳部屋の体積は床面積（本間サイズで１３２，４９６ｃｍ２）、標準タイプの天井高さは２４０ｃｍであるため全体積は３１，７９９，０４０ｃｍ３となり、前記外壁通風路体積と８畳部屋の体積を比較すると８畳用のエア・コンディショナー１台にて前記外壁通風路を約３５枚分温度制御することが可能となる。本考案の通風路は少なくとも家屋に対して６面にて覆っているため実質のエア・コンディショナーの容量は、１／６倍で対応可能となる。【００２０】前記エア・コンディショナー容量は市販されていないので専用エア・コンディショナーを製造すれば消電力も削減できるため小型太陽光パネルによる発生電力でも十分に対応可能となる。【００２１】一方、コンクリート及び鉄骨製のビルディングに適用する場合には、外壁と床が一体型に繋がっている場合が多いので各階毎に図３に示すような構造を備えることで対応ができる。【００２２】尚、実施例に記載した本考案は一例に過ぎず、任意設計変更することが可能であり、例えば、床下にエア・コンディショナーを設置することや各部屋の仕切り壁にも通風路を敷設することも可能である。
【符号の説明】
【００２３】１    外壁
２    内壁
３    通風路
４    断熱材
５    シート
６    エア・コンディショナー室内機
７    エア・コンディショナー吹き出し口カバー
８    エア・コンディショナー吸込み口カバー
９    送風機
１０  排気口
１１  配管
１２  床下通風路用仕切り板
１３  外壁通風路用仕切り板
１４  エア・コンディショナー室外機
１５  コンクリート
【図１】
0003203177.tif 000003
【図２】
0003203177.tif 000004
【図３】
0003203177.tif 000005